(57)【要約】      （修正有）【課題】照射部本体と支持部を連結する部分の小型化が可能で、簡素な構造によって支持部に対する照射部本体の傾動が出来、照射部本体の傾動動作による配線部材の断線を確実に防止できるスタンド型照明装置を提供する。【解決手段】照射部本体と支持部を連結する概略Ｔ字状を成すホルダーを有する。ホルダーには、支持部側取り付け部６０７と、照射部本体側第１回転軸６０８、および照射部本体側側第２回転軸６０９を設ける。また、ホルダーには開口部６０４を形成し、開口部６０４の照射部本体側第１回転軸６０８近傍には照射部本体を回転するヒンジ６０３を取り付けるためのヒンジ取り付け領域６１０を設け、開口部６０４の照射部本体側第２回転軸６０９近傍には照射部本体から支持部へ配線部材を挿通する配線部材挿通領域６１１を設ける。【選択図】図６
0003167154.tif 000002
【実用新案登録請求の範囲】
【請求項１】
台座と、前記台座に対して立設する支持部と、前記支持部に連結する照射部本体と、を備えたスタンド型照明装置であって、前記照射部本体には光源を配設した第１の回路基板を内蔵し、前記台座には前記照射部本体の点灯または消灯を行うスイッチを配設した第２の回路基板を内蔵し、前記第１の回路基板と前記第２の回路基板を接続する配線部材を備え、前記照射部本体と前記支持部の間には前記支持部に対して前記照射部本体を傾動可能に連結する概略Ｔ字状を成すホルダーを介在し、前記ホルダーには、前記支持部の上部に取り付ける支持部側取り付け部と、前記照射部本体を傾動可能に連結する照射部本体側第１回転軸および照射部本体側第２回転軸を有し、また、前記ホルダーには開口部を形成し、前記開口部の前記照射部本体側第１回転軸近傍にはヒンジを取り付けるためのヒンジ取り付け領域を設け、前記開口部の前記照射部本体側第２回転軸近傍には前記配線部材を挿通する配線部材挿通領域を設け、さらに、前記開口部を閉塞可能とするホルダーカバーを備えたことを特徴とするスタンド型照明装置。
【請求項２】
前記ホルダーの開口部には、ヒンジと配線部材の接触を防止する配線部材誘導壁を設けたことを特徴とする請求項１に記載のスタンド型照明装置。
【考案の詳細な説明】
【技術分野】
【０００１】
本考案は、机上等に載置して使用するスタンド型照明装置に関し、より詳しくは支持部に対して傾動可能な照射部本体を備えたスタンド型照明装置に関する。
【背景技術】
【０００２】
台座と支持部と照明部本体を主要部として構成するスタンド型照明装置は、机上等において所定領域を明るくすることを主たる使用目的としている。
【０００３】
例えば、特許文献１には、照射部本体による照射範囲の選択自由度を広くするために、設置面に対して立設可能な本体と、下側連結部を介して前記本体に連結された支持部と、上側連結部を介して前記支持部に連結された照射部本体とを備え、前記下側連結部が、前記設置面に対して略垂直な下側第１支軸を介して前記本体に連結されているとともに、前記下側第１支軸に対して直交する下側第２支軸を介して前記支持部に連結され、前記上側連結部が、前記下側第２支軸に対して平行な上側第１支軸を介して前記支持部に連結されているとともに、前記上側第１支軸に対して直交する上側第２支軸を介して前記照射部本体に連結された構造が記載されている。
【０００４】
【特許文献１】特開２００９−０８７７６６号公報
【考案の開示】
【考案が解決しようとする課題】
【０００５】
特許文献１の構造によれば、支持部に対して照射部本体の傾動が可能となるが、照射部本体から台座を含む本体まで配線部材を挿通するスペースを連結する部分において設ける必要があることから、スタンド型照明装置の大型化や、構造の複雑化が生じ、さらには、前記照射部本体の動作に伴い前記配線部材が他の部材と接触して撓んだり絡まったりして断線するなどの危険性がある。
【０００６】
本考案は上述した点に鑑みてなされたものであって、その目的とするところは、照射部本体と支持部を連結する部分の小型化が可能で、簡素な構造によって前記支持部に対する前記照射部本体の傾動が出来、前記照射部本体の傾動動作による配線部材の断線を確実に防止できるスタンド型照明装置を提供することにある。
【課題を解決するための手段】
【０００７】
請求項１に係るスタンド型照明装置は、台座と、前記台座に対して立設する支持部と、前記支持部に連結する照射部本体と、を備えたスタンド型照明装置であって、前記照射部本体には光源を配設した第１の回路基板を内蔵し、前記台座には前記照射部本体の点灯または消灯を行うスイッチを配設した第２の回路基板を内蔵し、前記第１の回路基板と前記第２の回路基板を接続する配線部材を備え、前記照射部本体と前記支持部の間には前記支持部に対して前記照射部本体を傾動可能に連結する概略Ｔ字状を成すホルダーを介在し、前記ホルダーには、前記支持部の上部に取り付ける支持部側取り付け部と、前記照射部本体を傾動可能に連結する照射部本体側第１回転軸および照射部本体側第２回転軸を有し、また、前記ホルダーには開口部を形成し、前記開口部の前記照射部本体側第１回転軸近傍にはヒンジを取り付けるためのヒンジ取り付け領域を設け、前記開口部の前記照射部本体側第２回転軸近傍には前記配線部材を挿通する配線部材挿通領域を設け、さらに、前記開口部を閉塞可能とするホルダーカバーを備えたことを特徴としている。
【０００８】
請求項２に係るスタンド型照明装置は、請求項１に記載のスタンド型照明装置であって、前記ホルダーの開口部には、ヒンジと配線部材の接触を防止する配線部材誘導壁を設けたことを特徴としている。
【考案の効果】
【０００９】
本考案によれば、照射部本体と支持部の間に介在する概略Ｔ字状のホルダー内において、前記照射部本体の傾動動作を可能とするヒンジの取り付けを可能とするヒンジ取り付け領域と、前記照射部本体に内蔵する第１の回路基板と台座に内蔵する第２の回路基板を接続する配線部材の挿通を可能とする配線部材挿通領域をそれぞれ設けることによって、前記照射部本体と前記支持部を連結する部分の小型化が可能で、簡素な構造によって前記支持部に対し前記照射部本体の傾動することが出来る。また、前記ホルダー内において、第１の回路基板と第２の回路基板を接続する配線部材の断線を防止することが可能となる。特に、ヒンジ取り付け領域に取り付けられたヒンジと配線部材挿通領域を挿通する配線部材が接触するのを防止する配線部材誘導壁をホルダー内に設けることで、前述の効果はより顕著にあらわれる。
【図面の簡単な説明】
【００１０】
【図１】本考案の実施例におけるスタンド型照明装置の正面側斜視図。
【図２】本考案の実施例における照射部本体の分解斜視図。
【図３】本考案の実施例における支持部と台座の分解斜視図。
【図４】本考案の実施例におけるホルダー単体を示す斜視図。
【図５】本考案の実施例におけるホルダー本体からホルダーカバーを取り外した状態を示す分解斜視図。
【図６】本考案の実施例におけるホルダー本体にヒンジを取り付けた状態を示す分解斜視図。
【考案を実施するための形態】
【００１１】
以下、本考案を実施するための最良の形態としての実施例を図１〜図６を用いて説明する。なお、本考案はその主旨に反しない範囲で、実施例において説明した構成以外のものに対しても容易に適用可能である。
【００１２】
図１は本考案の実施例におけるスタンド型照明装置の正面側斜視図である。同図で示すように、本考案の実施例におけるスタンド型照明装置１は、主に照射部本体１００と支持部２００と台座４００により構成されており、前記台座４００に対して前記支持部２００を回転可能とするために、前記支持部２００と前記台座４００の間には保持部３００を介在している。
【００１３】
図２は本考案の実施例における照射部本体の分解斜視図である。スタンド型照明装置１の照射部本体１００は、その外観を合成樹脂で形成した上部本体カバー１０１と下部本体カバー１０２によって構成されている。そして、前記下部本体カバー１０２には開口部１０３が形成されており、前記開口部１０３より光が照射される構造となっている。前記照射部本体１００についてさらに詳述すると、上部本体カバー１０１と下部本体カバー１０２によって構成される外観の内部には、光源の放熱と前記照射部本体１００の捩れや撓みに対する補強を兼ねた放熱部材１０４と、光源たる複数のＬＥＤ１０５，１０５，・・が配設された第１の回路基板１０６，１０６と、前記ＬＥＤ１０５，１０５，・・から照射される光を端面から受け入れて照射面側を光らせる導光板１０７と、前記導光板１０７を介して照射される前記ＬＥＤ１０５，１０５，・・の光を拡散／集光して一面に対し光をほぼ均一にする光学シート１０８を組み付けている。また、支持部２００に対して前記照射部本体１００を図１で示す矢印Ａの方向に傾動可能とするために、前記照射部本体１００にはヒンジ６０２を取り付けたホルダー６００を組み付けている。
【００１４】
図３は本考案の実施例における支持部と台座の分解斜視図である。台座４００は、その外観を合成樹脂で形成した上部台座カバー４０１と下部台座カバー４０２によって構成されている。そして、前記上部台座カバー４０１には、照射部本体１００の内部に配設されたＬＥＤ１０５，１０５，・・の点灯または消灯を行う操作部４０３を備えている。具体的には、台座４００の内部に組み付けられる第２の回路基板４０４に配設されたスイッチ４０５を前記操作部４０３の押圧操作に連動してＯＮ／ＯＦＦする構造とし、前記スイッチ４０５がＯＮの状態となるならば、照射部本体１００に内蔵された前記ＬＥＤ１０５，１０５，・・は点灯して下部本体カバー１０２の開口部１０３から光が照射され、前記スイッチ４０５がＯＦＦの状態となるならば、前記ＬＥＤ１０５，１０５，・・は消灯して前記開口部１０３から照射されていた光は消える。また、前記上部台座カバー４０１には保持部３００を介して支持部２００を連結するための貫通孔４０６が形成されている。
【００１５】
さらに、前記上部台座カバー４０１と下部台座カバー４０２で構成される外観の内部には、机上等の載置面に載置されたスタンド型照明装置１の転倒を防止してバランスを保つための第１の重り４０９，４０９，・・と第２の重り４１０を組み付けている。なお、本実施例では、第２の回路基板４０４を避けるように第１の重り４０９，４０９，・・と第２の重り４１０を配置しているが、例えば、第１の重り４０９，４０９を重ねる代わりに同様の重量となる単一の重りを配置しても良く、また、第１の重り４０９，４０９，・・と第２の重り４１０を一体に形成しても良い。そして、前記第２の回路基板４０４と前記第１の重り４０９，４０９，・・および第２の重り４１０の間には絶縁を目的としたシールド部材４１２が配置されている。一方、前記台座４００に対して回転可能に連結する支持部２００は、内部に中空部分２０１を有する概略筒状を成している。なお、本実施例で示すスタンド型照明装置には、台座４００において別途外部電源を供給するための基板を配置しているが、本実施例の構造を説明するさいに直接関係しないことから同図では割愛している。
【００１６】
つぎに、照射部本体１００と支持部２００を連結するホルダー６００について図４〜図６を用いて詳述する。図４は本考案の実施例におけるホルダー単体を示す斜視図、図５は本考案の実施例におけるホルダー本体からホルダーカバーを取り外した状態を示す分解斜視図、図６は本考案の実施例におけるホルダー本体にヒンジを取り付けた状態を示す分解斜視図である。本実施例で示すホルダー６００は、ホルダー本体６０１と、前記ホルダー本体６０１の開口部６０４を閉塞するホルダーカバー６０２を備えており、前記ホルダー本体６０１に対し前記ホルダーカバー６０２を螺子で締結固定する構造としている。そのため、前記ホルダーカバー６０２には螺子を挿通するための挿通孔６０５が形成されており、また、ホルダー本体６０１の開口部６０４には開口部螺子穴６０６が形成されている。
【００１７】
そして、前記ホルダー６００は全体が概略Ｔ字状を成し、支持部２００上部の中空部分２０１に挿通可能な外径を有する略円柱形状の支持部側取り付け部６０７と、照射部本体１００を傾動可能に連結する照射部本体側第１回転軸６０８および照射部本体側第２回転軸６０９が設けられている。すなわち、本考案の実施例では、ホルダー６００に形成された照射部本体側第１回転軸６０８および照射部本体側第２回転軸６０９を支点として、照射部本体１００を図１の矢印Ａで示す方向へ傾動可能な構造としている。
【００１８】
前記照射部本体１００の傾動構造についてさらに詳述すれば、前記ホルダー本体６０１の開口部６０４において、前記照射部本体側第１回転軸６０８近傍にヒンジ６０３が取り付けられる領域を設けている。具体的には、前記開口部６０４における前記照射部本体側第１回転軸６０８近傍をヒンジ取り付け領域６１０とし、前記照射部本体側第２回転軸６０９近傍を配線部材挿通領域６１１としている。そして、ヒンジ取り付け領域６１０には、前記ヒンジ６０３を取り付け固定するためのヒンジ取り付けリブ６１２，６１２が形成されている。
【００１９】
また、前記照射部本体側第２回転軸６０９から挿通される配線部材５００が前記ヒンジ取り付けリブ６１２，６１２に取り付け固定されたヒンジ６０３と接触するのを防止するため、前記開口部６０４には配線部材誘導壁６１３が設けられている。これは、ヒンジ６０３と接触して配線部材５００が断線する危険性を軽減するためと、照射本体側第２回転軸６０９より挿通された前記配線部材５００を支持部側取り付け部６０７へ確実に誘導するために設けられている。なお、本実施例では、支持部２００と支持部側取り付け部６０７を螺子で締結固定する構造としており、前記支持部２００には前記螺子が挿通する挿通孔を設け、前記支持部側取り付け部６０７には前記螺子が螺着する螺子穴６１４が形成されている。
【００２０】
以上、本考案の一実施例について詳述したが、本考案は前記実施例に限定されるものではなく、本考案の主旨の範囲内で種々の変形実施が可能である。例えば、本実施例で示すホルダー６００の開口部６０４に配線部材誘導壁６１３を設けた内容について説明したが、別途配線部材５００を保持するためのリブを形成して線処理がより行い易い構造としても良い。また、支持部２００とホルダー６００の固定について螺子を用いた締結固定手段を例に説明したが、螺子を使用しない係合や嵌合、或いは貼着や接着など本考案の主たる特徴を逸脱しない範囲において適宜選定することが可能である。
【符号の説明】
【００２１】
１．スタンド型照明装置
１００．照射部本体
１０１．上部本体カバー
１０２．下部本体カバー
１０３．開口部
１０４．放熱部材
１０５．ＬＥＤ（光源）
１０６．第１の回路基板
１０７．導光板
１０８．光学シート
１０９．反射シート
２００．支持部
２０１．中空部分
３００．保持部
４００．台座
４０１．上部台座カバー
４０２．下部台座カバー
４０３．操作部
４０４．第２の回路基板
４０５．スイッチ
４０６．貫通孔
４０９．第１の重り
４１０．第２の重り
４１２．シールド部材
５００．配線部材
６００．ホルダー
６０１．ホルダー本体
６０２．ホルダーカバー
６０３．ヒンジ
６０４．開口部
６０５．挿通孔
６０６．開口部螺子穴
６０７．支持部側取り付け部
６０８．照射部本体側第１回転軸
６０９．照射部本体側第２回転軸
６１０．ヒンジ取り付け領域
６１１．配線部材挿通領域
６１２．ヒンジ取り付けリブ
６１３．配線部材誘導壁
６１４．螺子穴
【図１】
0003167154.tif 000003
【図２】
0003167154.tif 000004
【図３】
0003167154.tif 000005
【図４】
0003167154.tif 000006
【図５】
0003167154.tif 000007
【図６】
0003167154.tif 000008